(57)【要約】【課題】楽器筐体後部のスペースの有効利用を可能にすると共に、ギヤ部を露出させないようにして円滑で安全な開閉と良好な外観を維持する。【解決手段】蓋体３０は、閉蓋時に前後に隣接すると共に開蓋時に鍵盤楽器１０の筐体の後部に重なる前蓋３１及び後蓋３２から構成される。鍵盤楽器１０の側板部１５の内側面１５ｂには、ガイド溝穴１９が形成されると共に、ギヤ部材４３が、開蓋状態における後蓋３２の下方位置において上方且つ後方に凸となるように設けられる。前蓋３１の後端部３１ａの左右両端部から突設されたピン４０がガイド溝穴１９に嵌入され、後端部３１ａの左右両端部に設けられた回動軸３９に連結材４２が回動自在に取り付けられ、連結材４２の他端部４２ｂに連動軸４１が軸支されている。連動軸４１の左右の端部４１ａ、４１ｂに、ラックギヤ部４３ａに噛み合うピニオンギヤ３５が固着される。【選択図】図２
2010204452.tif 000002
【特許請求の範囲】
【請求項１】
分割して構成され、閉蓋時に前後に隣接すると共に、開蓋時に鍵盤楽器の筐体の後部において上下方向に重なって収容される前蓋及び後蓋を有する蓋体と、
前記鍵盤楽器の前記筐体の左側部及び右側部に設けられ、前記前蓋を前後方向に移動自在に支持する前蓋支持部と、
前記鍵盤楽器の前記筐体の前記左側部及び前記右側部に設けられ、前記後蓋を前後方向に移動自在に支持する後蓋支持部と、
前記筐体の後部の前記後蓋よりも下方の位置において、前記筐体の前記左側部及び前記右側部に設けられ、後方にいくにつれて下方に傾斜しているラックギヤ部と、
一端部及び他端部を有し、前記一端部が、前記前蓋の後端部に対して、左右方向に沿う回動軸を中心に回動自在に支持された少なくとも１つの連結材と、
左右方向に延設され、前記連結材の前記他端部に軸支された連動軸と、
前記連動軸の左端部及び右端部にそれぞれ固着され、前記ラックギヤ部に噛み合うように配設されたピニオンギヤとを有し、
前記前蓋の押し引き操作によって前記ピニオンギヤが前記ラックギヤ部と噛合して転動することで、前記前蓋が前後方向にスライド移動するように構成されたことを特徴とする鍵盤楽器の蓋開閉構造。
【請求項２】
前記連結材は、前記筐体の前記左側部近傍と前記右側部近傍とに配設されたことを特徴とする請求項１記載の鍵盤楽器の蓋開閉構造。
【請求項３】
前記前蓋には係合部が設けられると共に、前記後蓋には被係合部が設けられ、前記前蓋の操作により前記前蓋が前後方向に移動するとき、前記前蓋の前記係合部と前記後蓋の前記被係合部が係合することで、前記前蓋に連動して前記後蓋が移動するように構成されたことを特徴とする請求項１または２記載の鍵盤楽器の蓋開閉構造。
【発明の詳細な説明】
【技術分野】
【０００１】
本発明は、分割して構成される蓋体を有する鍵盤楽器の蓋開閉構造に関する。
【背景技術】
【０００２】
従来、下記特許文献１、２に示されるように、分割して構成された蓋体を採用する鍵盤楽器の蓋開閉構造が知られている。
【０００３】
例えば、下記特許文献１の構造では、蓋体が前蓋と後蓋とに分割して構成され、前蓋の後部の左右両端にピニオンギヤが設けられる。そして、楽器筐体の左右内側に設けられたラックギヤに上記ピニオンギヤが噛合して転動し、前蓋が前後にスライド移動するように構成される。
【０００４】
一方、下記特許文献２の構造では、分割構成の蓋体のうち、後蓋の後部の左右両端にピニオンギヤが設けられる。上記ピニオンギヤが噛合するラックギヤが、筐体後部において、後方且つ上方に凸となるように湾曲して設けられる。そして、前蓋を後方に移動させると、後蓋が、ラックギヤの湾曲に応じて筐体内の下方に降りて斜めに起立する。
【先行技術文献】
【特許文献】
【０００５】
【特許文献１】特開平８−２６３０５１号公報
【特許文献２】特開２００７−１０２０４５号公報
【発明の概要】
【発明が解決しようとする課題】
【０００６】
しかしながら、上記特許文献１の構造では、ラックギヤが露出し、ピニオンギヤも閉蓋時には露出する。そのため、見栄えが悪く不安全であるだけでなく、ピニオンギヤに塗布されたグリスが衣服等に付きやすく、付くと潤滑効果が薄れていってしまい、円滑な開閉動作を長期間維持するのが困難である。
【０００７】
一方、上記特許文献２の構造では、開蓋時において後蓋は前蓋よりも後方下方において斜めになるため、楽器筐体の後部におけるスペースを大きく確保しておく必要がある。特に、後蓋は鍵盤のほぼ全幅に亘って延設されているので、筐体内の後蓋が移動する領域には他の部品等を配置することができず、スペースを有効に利用できない。
【０００８】
本発明は上記従来技術の問題を解決するためになされたものであり、その目的は、楽器筐体後部のスペースの有効利用を可能にすると共に、ギヤ部を露出させないようにして円滑で安全な開閉と良好な外観を維持することができる鍵盤楽器の蓋開閉構造を提供することにある。
【課題を解決するための手段】
【０００９】
上記目的を達成するために本発明の請求項１の鍵盤楽器の蓋開閉構造は、分割して構成され、閉蓋時に前後に隣接すると共に、開蓋時に鍵盤楽器（１０）の筐体の後部において上下方向に重なって収容される前蓋（３１）及び後蓋（３２）を有する蓋体（３０）と、前記鍵盤楽器の前記筐体の左側部（１５Ｌ）及び右側部（１５Ｒ）に設けられ、前記前蓋を前後方向に移動自在に支持する前蓋支持部（２０、１９）と、前記鍵盤楽器の前記筐体の前記左側部及び前記右側部に設けられ、前記後蓋を前後方向に移動自在に支持する後蓋支持部（１７、１９、４６）と、前記筐体の後部の前記後蓋よりも下方の位置において、前記筐体の前記左側部及び前記右側部に設けられ、後方にいくにつれて下方に傾斜しているラックギヤ部（４３ａ）と、一端部（４２ａ）及び他端部（４２ｂ）を有し、前記一端部が、前記前蓋の後端部（３１ａ）に対して、左右方向に沿う回動軸（４０）を中心に回動自在に支持された少なくとも１つの連結材（４２）と、左右方向に延設され、前記連結材の前記他端部に軸支された連動軸（４１）と、前記連動軸の左端部（４１ａ）及び右端部（４１ｂ）にそれぞれ固着され、前記ラックギヤ部に噛み合うように配設されたピニオンギヤ（３５）とを有し、前記前蓋の押し引き操作によって前記ピニオンギヤが前記ラックギヤ部と噛合して転動することで、前記前蓋が前後方向にスライド移動するように構成されたことを特徴とする。
【００１０】
好ましくは、前記連結材は、前記筐体の前記左側部近傍と前記右側部近傍とに配設される（請求項２）。
【００１１】
好ましくは、前記前蓋には係合部（３６）が設けられると共に、前記後蓋には被係合部（３４ａ、３７、３８）が設けられ、前記前蓋の操作により前記前蓋が前後方向に移動するとき、前記前蓋の前記係合部と前記後蓋の前記被係合部が係合することで、前記前蓋に連動して前記後蓋が移動するように構成される（請求項３）。
【００１２】
なお、上記括弧内の符号は例示である。
【発明の効果】
【００１３】
本発明の請求項１によれば、楽器筐体後部のスペースの有効利用を可能にすると共に、ギヤ部を露出させないようにして円滑で安全な開閉と良好な外観を維持することができる。
【００１４】
請求項２によれば、楽器筐体内の左右方向中間部分において有効利用可能なスペースを大きく確保することができる。
【００１５】
請求項３によれば、前蓋の操作だけで開蓋及び閉蓋操作が可能になり、開閉操作が容易となる。
【図面の簡単な説明】
【００１６】
【図１】本発明の一実施の形態に係る蓋開閉構造が適用される鍵盤楽器の模式的な右側面図であり、閉蓋状態を示す図（図（ａ））、開蓋行程の途中の状態を示す図（図（ｂ））である。
【図２】同蓋開閉構造が適用される鍵盤楽器の模式的な右側面図であり、開蓋状態を示す図（図（ａ））、閉蓋行程の途中の状態を示す図（図（ｂ））である。
【図３】図２（ａ）のＡ−Ａ線に沿う鍵盤楽器の断面図（図（ａ））、図３（ａ）のＢ−Ｂ線に沿う鍵盤楽器の断面図（図（ｂ））である。
【図４】変形例のギヤ部材の模式的な側面図（図（ａ）、（ｂ））、変形例の蓋体の模式的な側面図（図（ｃ）、（ｄ））である。
【発明を実施するための形態】
【００１７】
以下、本発明の実施の形態を図面を参照して説明する。
【００１８】
図１（ａ）、（ｂ）、図２（ａ）、（ｂ）は、本発明の一実施の形態に係る蓋開閉構造が適用される鍵盤楽器の模式的な右側面図である。これらの図では、後述する側板部１５（左側板部１５Ｌ、右側板部１５Ｒ）（図３（ｂ）参照）のうち右側板部１５Ｒが取り外された状態が示されている。これらの図において、左方が、鍵盤楽器１０の奏者が位置する前方であり、以降、鍵盤楽器１０の左右方向については、奏者からみた方向で呼称する。
【００１９】
図３（ａ）は、図２（ａ）のＡ−Ａ線に沿う鍵盤楽器１０の断面図である。図３（ｂ）は、図３（ａ）のＢ−Ｂ線に沿う鍵盤楽器１０の断面図である。
【００２０】
図１、図２に示すように、この鍵盤楽器１０の蓋開閉構造は、分割して構成される前蓋３１及び後蓋３２を有する蓋体３０を有する。鍵盤楽器１０は、電子鍵盤楽器として構成されるが、本発明の蓋開閉構造は、アコ−スティックの鍵盤楽器や、脚部付きの鍵盤楽器にも適用可能である。
【００２１】
鍵盤楽器１０の筐体は、図１、図２等に示す棚板１１、天板１２及び背板１３と、さらに図３（ｂ）に示す側板部１５（１５Ｌ、１５Ｒ）、左前板部１４Ｌ及び右前板部１４Ｒとから構成される。図１、図２に示すように、筐体内において、棚板１１の上には鍵フレーム１６が配設され、鍵フレーム１６に、それぞれ複数の白鍵及び黒鍵からなる鍵盤部ＫＢが配設される。楽音発生等のための電気・電子部品の図示は省略されている。
【００２２】
本蓋開閉構造は、主に、蓋体３０と、後述するピニオンギヤ３５周りの構成要素と、筐体における左側板部１５Ｌ、右側板部１５Ｒとにおいて構成される。本蓋開閉構造は、左右対称であるので、左右対称の構成要素の左側／右側のものを区別するときは、それぞれ、符号「Ｌ」／「Ｒ」を付して説明する。また、以降、側板部１５周りの構成については主に左側板部１５Ｌ周りのものを説明するが、右側板部１５Ｒ周りのものも同様に構成される。
【００２３】
蓋体３０は、前後スライド式であり、全開時には、後蓋３２と前蓋３１とが上下に重なって、筐体後部に収容される構成となっている。ここで、図１（ａ）が、蓋体３０を閉じた「閉蓋状態」を示し、図１（ｂ）は開蓋行程の途中の状態を示す。また、図２（ａ）が、蓋体３０を全開した「開蓋状態」を示し、図２（ｂ）が、閉蓋行程の途中の状態を示す。
【００２４】
図３（ａ）、（ｂ）に示すように、左側板部１５Ｌは、棚板１１、天板１２及び背板１３に固着され、一般の鍵盤楽器の側板乃至腕木に相当する。左側板部１５Ｌは、木質材等によって一体的に構成され、前端に左前板部１４Ｌが固着されている。左側板部１５Ｌの外側面１５ａＬが鍵盤楽器１０の筐体の左外側面に相当し、左側板部１５Ｌの内側面１５ｂＬが、鍵盤楽器１０の筐体の左内側面に相当する。
【００２５】
図１、図２、図３（ｂ）に示すように、左側板部１５Ｌの内側面１５ｂＬにおいて鍵盤部ＫＢよりやや上方位置には、蓋体３０の開閉時に前蓋３１の前端部をスライド自在に支持する前蓋支持部２０Ｌが前後方向に沿って突設されている。前蓋支持部２０Ｌは、左側板部１５Ｌに対して一体であるか別体であるかを問わない。前蓋支持部２０Ｌの後半部は、開蓋行程後半において前蓋３１がほぼ水平となるように、水平となっているが、前半部は前方にいくにつれて下方に傾斜している。
【００２６】
図１〜図３に示すように、左側板部１５Ｌの内側面１５ｂＬには、ガイド溝穴１９Ｌが前後方向に沿って形成されている。ガイド溝穴１９Ｌは、鍵盤部ＫＢよりも上方において、左側板部１５Ｌの前半部の途中から後部にかけて設けられる。ガイド溝穴１９Ｌは、主に前後方向中間部分が上方に凸となるように湾曲していて、後半部はほぼ水平であるが、前半部は前方にいくにつれて下方に傾斜している。
【００２７】
図１、図２、図３（ｂ）に示すように、左側板部１５Ｌの内側面１５ｂＬには、ガイド溝穴１９Ｌの直上であってガイド溝穴１９Ｌに平行に、突設部１７Ｌが設けられる。突設部１７Ｌは、左側板部１５Ｌと一体でもよいし、別体のものを固着したものでもよい。突設部１７Ｌの主に前半部は、上方乃至奏者側からガイド溝穴１９Ｌを目隠しする機能を果たす。突設部１７Ｌの主に後半部は、前半部よりも幅広となっていて、蓋体３０の開閉時に後蓋３２の後端部をスライド自在に支持する機能を果たす。
【００２８】
図１〜図３に示すように、左側板部１５Ｌの内側面１５ｂＬには、金属製等のギヤ部材４３Ｌが固着等によって突設して設けられる。ギヤ部材４３Ｌは、図２（ａ）に示すように、開蓋状態における後蓋３２の下方の位置において、上方且つ後方に凸となるように湾曲して設けられる。従って、ギヤ部材４３Ｌは後方にいくにつれて下方に傾斜しており、後方ほど傾斜が強くなっている。ギヤ部材４３Ｌの前端部の上下方向の位置は、前蓋支持部２０Ｌの後端とほぼ同じである。ギヤ部材４３Ｌの上側となる部分には、ラックギヤ部４３ａＬが形成されている。ラックギヤ部４３ａＬはギヤ部材４３Ｌの延設方向全長に亘って形成される。
【００２９】
蓋体３０については、次のように構成される。まず、前蓋３１の後端部３１ａ（図１（ａ）、図３（ｂ）参照）の左右両端部からは、側方に向かってピン４０（４０Ｌ、４０Ｒ）が突設されている。
【００３０】
図１、図２、図３（ａ）に示すように、後蓋３２の左端部、右端部の各下側には、前後方向に沿って段差部３２ａが形成され、各段差部３２ａに、金属製等の係合部材３４（３４Ｌ、３４Ｒ）が固着されている。係合部材３４Ｌは、後蓋３２の左端部の段差部３２ａから下方に垂下した下端が左方に水平に延び、その左端から下方に延びた部分が、前蓋３１の左端に近接している（図３（ａ）参照）。上記下方に延びた部分には、係合溝３４ａＬが前後方向に沿って形成されている。係合部材３４Ｒ、係合溝３４ａＲ（図１（ａ）参照）及びその周りの構成は、係合部材３４Ｌと左右対称で同様である。
【００３１】
そして、係合溝３４ａ（３４ａＬ、３４ａＲ）をピン４０Ｌ、４０Ｒがそれぞれ貫通している。従って、ピン４０Ｌ、４０Ｒと係合溝３４ａＬ、３４ａＲとの係合により、後蓋３２と前蓋３１とが常に係合すると共に、ピン４０Ｌ、４０Ｒと係合溝３４ａＬ、３４ａＲの各前後端との係合により、前蓋３１の移動に対して後蓋３２が追従するようになっている。
【００３２】
ピン４０Ｌ、４０Ｒは、ガイド溝穴１９（１９Ｌ、１９Ｒ）（図３（ｂ）参照）に嵌入されている。前蓋３１を前後方向に移動させる際、ガイド溝穴１９Ｌ、１９Ｒはピン４０Ｌ、４０Ｒを摺動自在に支持して前蓋３１のスライド移動をガイドする機能を果たす。
【００３３】
図３（ｂ）に示すように、前蓋３１の後端部３１ａには、連結材４２（４２Ｌ、４２Ｒ）を介して、左右方向に沿った丸棒状の連動軸４１が取り付けられている。まず、前蓋３１の後端部３１ａの左右両端部において、回動軸３９（３９Ｌ、３９Ｒ）が設けられ、連結材４２Ｌ、４２Ｒの一端部４２ａＬ、４２ａＲが、それぞれ回動軸３９Ｌ、３９Ｒを中心に回動自在に取り付けられている。連結材４２は、閉蓋状態において、一端部４２ａＬ、４２ａＲを前端として後方に延びる（図１（ａ）参照）。また、連結材４２Ｌ、４２Ｒの他端部４２ｂＬ、４２ｂＲに対して連動軸４１が軸支されている。
【００３４】
回動軸３９Ｌ、３９Ｒは、ピン４０に干渉しない範囲で、左右に極力離間した位置に配設される。従って、連結材４２Ｌ、４２Ｒは、それぞれ左側板部１５Ｌ、右側板部１５Ｒの近傍乃至近接した位置に配設される（図３（ｂ）参照）。これにより、連結材４２Ｌ、４２Ｒ間のスペースが大きく確保される。
【００３５】
連結材４２は、金属や樹脂等で、撓みにくい厚み乃至形状に形成される。連結材４２の横幅は後蓋３２のそれよりも十分に小さい。蓋体３０の開閉の動作に伴い連結材４２が動作する領域をなるべく小さくするためには、連結材４２の横幅は小さい方が有利である。なお、連結材４２は、連動軸４１を左右方向に平行に沿わせた状態で回動自在に支持できればよく、その数や、左右方向の配置位置は問わない。
【００３６】
連動軸４１は、連結材４２Ｌ、４２Ｒの他端部４２ｂＬ、４２ｂＲから左右に少し突出しており、これら該突出した左端部４１ａ、右端部４１ｂに、それぞれ、ラックギヤ部４３ａＬ、４３ａＲの歯に対応する歯を有するピニオンギヤ３５（３５Ｌ、３５Ｒ）が固着される。
【００３７】
連動軸４１が連結材４２に対して回動自在であるので、ピニオンギヤ３５Ｌ、３５Ｒも連動軸４１と共に連結材４２に対して回動自在である。ラックギヤ部４３ａＬ、４３ａＲに対するピニオンギヤ３５Ｌ、３５Ｒの移動量が同期するように、これらの各歯の位置が設定されている。従って、蓋体３０の開閉全行程において、ピニオンギヤ３５Ｌ、３５Ｒは常に同心で、連動軸４１は常に左右方向に平行である。これにより、円滑な開閉操作が可能である。ラックギヤ部４３ａには、潤滑用のグリスが塗布されている。
【００３８】
右側板部１５Ｒ（図３（ｂ）等参照）において、内側面１５ｂＲ、外側面１５ａＲ、右前板部１４Ｒ、前蓋支持部２０Ｒ、ガイド溝穴１９Ｒ、突設部１７Ｒ、ギヤ部材４３Ｒ、ラックギヤ部４３ａＲ及びピニオンギヤ３５Ｒについては、左側板部１５Ｌにおける、内側面１５ｂＬ、外側面１５ａＬ、左前板部１４Ｌ、前蓋支持部２０Ｌ、ガイド溝穴１９Ｌ、突設部１７Ｌ、ギヤ部材４３Ｌ、ラックギヤ部４３ａＬ及びピニオンギヤ３５Ｌと左右対称に同様に構成される。
【００３９】
本鍵盤楽器１０の蓋開閉構造の主要部は次のようにして製造される。まず、蓋体３０については、前蓋３１にピン４０、回動軸３９を取り付けると共に、後蓋３２に係合部材３４を取り付け、ピン４０が係合部材３４の係合溝３４ａを貫通するように、前蓋３１と後蓋３２とを連結する。また、前蓋３１の回動軸３９に連結材４２を取り付けると共に、連結材４２に連動軸４１を軸支させる。さらに、連動軸４１にピニオンギヤ３５を固着する。
【００４０】
一方、左側板部１５Ｌ、右側板部１５Ｒにおいては、ガイド溝穴１９を機械加工や金型成形等によって形成すると共に、前蓋支持部２０（２０Ｌ、２０Ｒ）、突設部１７（１７Ｌ、１７Ｒ）、ギヤ部材４３（４３Ｌ、４３Ｒ）を固着等によって設ける。
【００４１】
左側板部１５Ｌ、右側板部１５Ｒの前側から左前板部１４Ｌ、右前板部１４Ｒをネジや接着剤で固着する。左側板部１５Ｌ、右側板部１５Ｒは、左前板部１４Ｌ、右前板部１４Ｒが固着される前または後に、棚板１１、天板１２及び背板１３に対してネジ等の固着具で固着する。
【００４２】
蓋体３０の開閉動作は次のようになる。まず、閉蓋状態では、図１（ａ）に示すように、前蓋３１と後蓋３２とが前後に隣接して鍵盤部ＫＢを上方から覆う。このとき、前蓋３１の前端部は左前板部１４Ｌ、右前板部１４Ｒに支持される。前蓋３１の後端部３１ａは、ピン４０を介してガイド溝穴１９によって支持され、後蓋３２の前端部も、係合部材３４、ピン４０を介してガイド溝穴１９に支持される。後蓋３２の後端部は、突設部１７の上に乗って、支持されている。ピニオンギヤ３５はラックギヤ部４３ａの前部に噛合している。
【００４３】
次に、前蓋３１を操作して後方に押していくと、ピン４０がガイド溝穴１９内を後方に摺動すると共に、ピニオンギヤ３５がラックギヤ部４３ａに噛合してラックギヤ部４３ａ上を後方に転動していく。ピン４０がガイド溝穴１９内を摺動する際、ピン４０は、後蓋３２の係合部材３４の係合溝３４ａ内を後方に摺動する。従って、蓋体３０については、後蓋３２は移動せず、前蓋３１だけが後方に移動する。その際、前蓋３１の前端部は、持ち上げてもよいが、前蓋支持部２０上をスライドさせていってもよい。
【００４４】
そして、ピン４０が係合部材３４の係合溝３４ａの後端に当接すると、ピン４０によって係合溝３４ａを介して後蓋３２が駆動され、その後は図１（ｂ）に示すように、前蓋３１に連動して後蓋３２が後方に移動していく。ピニオンギヤ３５もラックギヤ部４３ａ上を転動し、連結材４２は一端部４２ａを上側として徐々に起立していく。
【００４５】
そして、ピン４０がガイド溝穴１９の後端に当接した時点で前蓋３１及び後蓋３２の後方位置が規制され、開蓋状態となる（図２（ａ）、図３（ａ）参照）。前蓋３１及び後蓋３２は上下にほぼ平行に重なるので、筐体内にコンパクトに収容される。開蓋状態においては、突設部１７によってガイド溝穴１９が隠れるので、外観が悪化しないで済む。ピニオンギヤ３５は、ラックギヤ部４３ａの後端部でもある下端部に噛合し、連結材４２は鉛直よりもやや斜めの起立状態となる。
【００４６】
次に、開蓋状態から閉蓋のために前蓋３１を前方に引っ張ると、まずは、ピン４０がガイド溝穴１９内を前方に摺動すると共に、後蓋３２の係合部材３４の係合溝３４ａ内を前方に摺動する。従って、蓋体３０については前蓋３１だけが前方に移動する。
【００４７】
そして、ピン４０が係合溝３４ａの前端に当接すると、ピン４０によって係合溝３４ａを介して後蓋３２が駆動され、その後は前蓋３１に連動して後蓋３２が前方に移動していく（図２（ｂ）参照）。そして、ピン４０がガイド溝穴１９の前端に当接した時点で前蓋３１及び後蓋３２の前方位置が規制され、手を離せば閉蓋状態となる（図１（ａ）参照）。
【００４８】
ところで、開蓋行程においては、途中から、前蓋３１が後蓋３２を引き連れて後方へ移動するので後蓋３２の荷重が加わることになる。一方、ラックギヤ部４３ａに噛み合っているピニオンギヤ３５は、その自重により連結材４２を通じて前蓋３１を常に後方に引っ張っている。しかし、上述したように、ギヤ部材４３は、後方にいくにつれて下方への傾斜度合いが高くなっている。そのため、ピニオンギヤ３５の自重による後方への付勢力が、開蓋行程の後半から増していく。その結果、開蓋行程においては、前蓋３１の操作に対して後蓋３２の重さが加わるころに、ちょうど後方への付勢力が大きくなっていくので、必要な操作力の急激な上昇が抑えられるという利点がある。
【００４９】
一方、ラックギヤ部４３ａの後端部は傾斜が大きいため、開蓋状態においては、閉蓋操作の当初、ピニオンギヤ３５を持ち上げるような大きな力が必要となる。しかし、閉蓋行程の前半は、前蓋３１には後蓋３２の荷重がかからない。そして、閉蓋行程において途中から、前蓋３１が後蓋３２を引き連れてくるので後蓋３２の荷重が加わることになる。ところが、そのころには、ピニオンギヤ３５がラックギヤ部４３ａの傾斜が小さい箇所に位置するようになっているため、ピニオンギヤ３５による後方への付勢力は小さくなる。その結果、閉蓋行程においても、必要な操作力の急激な上昇が抑えられる。
【００５０】
このように、前蓋３１の操作だけで開蓋及び閉蓋操作が可能で、しかも、開閉の全行程において荷重の変化が少なく、開閉操作が容易となっている。
【００５１】
本実施の形態によれば、まず、開蓋時には、分割構成の前蓋３１及び後蓋３２が重なって筐体後部に収容されるので、楽器筐体の省スペースを図ることができる。特に、分割構成でない蓋体を採用する鍵盤楽器に比し、筐体高さをあまり高くすることなく筐体の前後長を短くすることができる。また、左右におけるピニオンギヤ３５とラックギヤ部４３ａとの同期した噛み合いを用いたスライド開閉機構により円滑な操作を確保する上で、これらピニオンギヤ３５とラックギヤ部４３ａを筐体の後部の視認されにくい領域に配設する構成を採用した。これらのギヤ部が露出しないことで、グリスが衣服等に付きにくく、潤滑効果が確保され、円滑な開閉動作を長期間維持することができると共に、良好な外観を維持することができる。
【００５２】
また、ギヤ部材４３は、後方にいくにつれて下方に傾斜していて、開蓋状態においては、連結材４２が鉛直に近い起立状態となるので、ギヤ部材４３が一様に水平である構成に比し、筐体の前後方向の長さが短くて済む。ここで、連結材４２が可動する範囲は、干渉を避けるために、各種の部品を配設できない。しかし、連結材４２は、横幅が十分に小さく、筐体内の左右方向中間の領域には、部品を配置することが可能である。従って、楽器筐体後部のスペースの有効利用を可能にすることができる。左右の連結材４２の間の領域には、例えば、電源装置やスピーカ等を配設することが可能である。
【００５３】
しかも、連結材４２Ｌ、４２Ｒは、左側板部１５Ｌ、右側板部１５Ｒの近傍に配設されたので、連結材４２Ｌ、４２Ｒ間の距離を長くとることができ、楽器筐体内の左右方向中間部分において有効利用可能なスペースを大きく確保することができる。この観点からは、連結材４２Ｌ、４２Ｒと左側板部１５Ｌ、右側板部１５Ｒとの距離に比し、連結材４２Ｌ、４２Ｒ間の距離を十分大きく確保すればよい。
【００５４】
特に、従来技術（上記特許文献２：特開２００７−１０２０４５号公報）のように、後蓋にピニオンギヤを連結して後蓋が起立するような構成に比べると、連結材４２は後蓋３２に対して横幅が十分に小さくでき、しかも配置位置も左右両側に限定されることもない。そのめ、楽器筐体後部における部品配置の自由度も高い。
【００５５】
さらに、ガイド溝穴１９が突設部１７によって目隠しされるので、開蓋時の外観の悪化を抑制することができる。さらに、突設部１７は、蓋体３０の後蓋３２の後端部を支持する機能を兼ねて一体に構成されるので、簡単な構成で済む。
【００５６】
なお、これら両機能を果たすことに限れば、突設部１７は、前半部と後半部とを分離した構成としてもよい。特に、目隠し機能を単独で考えた場合、開蓋状態において、ガイド溝穴１９のうち蓋体３０では隠れない前半部だけを目隠しできればよいので、突設部１７を設ける領域や形状も、それに応じたものとすればよい。後蓋３２の後端部の支持機能についても同様で、主にガイド溝穴１９の後半部に対応する領域に設ければその機能は果たされる。
【００５７】
ところで、開蓋状態において連結材４２を鉛直に近い起立状態として筐体の前後方向の長さを短縮可能にするためには、ギヤ部材４３は、後方にいくにつれて下方に傾斜していればよい。従って、図４（ａ）に示すように、直線的に傾斜した形状であってもよいし、図４（ｂ）に示すように、凸側となる方向が途中で変わるような形状であってもよい。
【００５８】
また、上記実施の形態において、前蓋３１の移動に連動して後蓋３２が前後移動し、前蓋３１の操作だけで開蓋及び閉蓋操作が可能なように構成する上で、両蓋間の係合は、ピン４０と係合部材３４の係合溝３４ａとによるものに限られない。また、前蓋３１、後蓋３２の積層の上下関係を逆にしてもよい。
【００５９】
例えば、図４（ｃ）に蓋体３０の変形例の模式図を示すように、前蓋３１の後部下部に係合部３６を突設する。さらに、後蓋３２の前端部上部と後端部上部とに、それぞれ被係合部３７、３８を突設する。そして、被係合部３７、３８間に係合部３６が位置するように前蓋３１及び後蓋３２を配設する。ピン４０、回動軸３９、連結材４２、連動軸４１、ピニオンギヤ３５の構成は上記と同様である。
【００６０】
さらに、後蓋３２の前端部と後端部とに、それぞれピン４０に相当するピン４４、４５を設けると共に、側板部１５の内側面１５ｂにおいてはガイド溝穴１９の少し下に、ガイド溝穴１９に相当するガイド溝穴４６を設ける。そして、ピン４４、４５をガイド溝穴４６に対して摺動自在に係合させることで、後蓋３２が独自に前後にスライド自在となる。
【００６１】
閉蓋状態から前蓋３１が後方に移動すると、途中から係合部３６が被係合部３８と係合し、後蓋３２が連動して後退する。また、開蓋状態から前蓋３１が前方に移動すると、途中から係合部３６が被係合部３７と係合し、後蓋３２が連動して前進する。
【００６２】
ここで、上述した実施の形態と対比すれば、ピン４０の役割を係合部３６が果たし、係合部材３４の係合溝３４ａ（３４ａＬ、３４ａＲ）の前端、後端の役割を、被係合部３７、３８が果たすことになる。図４（ｃ）に示すような構成でも、蓋体３０の前後動作は上記の実施の形態と同じとなる。このような係合関係となる構成は、例示したものに限られず、各種考えられる。
【００６３】
なお、図４（ｃ）のような構成において、前蓋３１、後蓋３２の積層の上下関係を図１〜図３に示すものと同じとする場合は、図４（ｄ）に示すような構成とすればよい。この場合、係合部及び被係合部は、前蓋３１、後蓋３２の左右端位置ではなく、左右方向における中間位置に設ければ見えなくなるので、外観が悪化しなくて済む。
【００６４】
なお、上記した実施の形態において、蓋体３０は、前蓋３１及び後蓋３２の２枚の分割構成であったが、これらに相当する連結されて開蓋時に積層される分割構成の２枚の蓋を有する構成であればよい。従って、これら２枚の蓋の前部または後部に、別の蓋が連結され、３枚以上となった構成であってもよい。
【符号の説明】
【００６５】
１０  鍵盤楽器、  １５Ｌ  左側板部（左側部）、  １５Ｒ  右側板部（右側部）、  １７  突設部（後蓋支持部）、  １９  ガイド溝穴（前蓋支持部、後蓋支持部）、  ２０  前蓋支持部、  ３０  蓋体、  ３１  前蓋、  ３１ａ  後端部、  ３２  後蓋、  ３４  係合部材、  ３４ａ  係合溝（被係合部）、  ３５  ピニオンギヤ、  ３６  係合部、  ３７、３８  被係合部、  ４１  連動軸、  ４２  連結材、  ４２ａ  一端部、  ４２ｂ  他端部、  ４３ａ  ラックギヤ部、  ４０  ピン（回動軸）、  ４１ａ  左端部、  ４１ｂ  右端部、  ４６  ガイド溝穴（後蓋支持部）
【図１】
2010204452.tif 000003
【図２】
2010204452.tif 000004
【図３】
2010204452.tif 000005
【図４】
2010204452.tif 000006